【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
二個以上のクラリファイヤ（１ａ、１ｂ）において少なくとも二個の交替式の同一の処理サイクルを行い、各処理サイクルは、同時進行の供給と排出を伴う供給期間と、余剰スラッジがシックナ（２ａ、２ｂ）へ除去され、残りのスラッジブランケットが均質化して予備沈降するリセット期間とによって構成される廃水の清澄化方法であって、少なくとも一個のクラリファイヤ（１ａ、１ｂ）における各時点で、前記供給期間が行われる方法。
【請求項２】
前記供給期間の持続時間は、クラリファイヤ（１ａ、１ｂ）の数によって分割される合計サイクル時間に等しく、前記リセット期間は、第一の沈降、廃棄、エアレーション、及び第二の沈降によって構成される請求項１に記載の方法。
【請求項３】
廃棄は、前記クラリファイヤ（１ａ、１ｂ）から前記シックナ（２ａ、２ｂ）へスラッジを気送することによって行われる請求項１又は２に記載の方法。
【請求項４】
前記スラッジは、各クラリファイヤ（１ａ、１ｂ）から、前記クラリファイヤ（１ａ、１ｂ）に割り当てられた別体のシックナ（２ａ、２ｂ）へ移送され、前記スラッジが、前記シックナ（２ａ、２ｂ）から、当該シックナ（２ａ、２ｂ）に割り当てられた前記クラリファイヤ（１ａ、１ｂ）における前記供給期間中に除去される請求項３に記載の方法。
【請求項５】
前記シックナ（２ａ、２ｂ）では、前記余剰スラッジの接線方向の導入によって旋回流が誘発される請求項３又は４に記載の方法。
【請求項６】
前記クラリファイヤ（１ａ、１ｂ）及び前記シックナ（２ａ、２ｂ）の水位は、前記クラリファイヤの廃棄期間中に前記クラリファイヤ（１ａ、１ｂ）へ戻る前記シックナ（２ａ、２ｂ）のオーバーフローの重力流を可能にするように水理学的に設定され、廃棄物の抽出は、前記クラリファイヤ（１ａ、１ｂ）における水位が、後続のエアレーションが前記クラリファイヤ（１ａ、１ｂ）から流出への固体のオーバーフローに繋がらないように流出水位未満に降下することを可能にする請求項３〜５のいずれか一項に記載の方法。
【請求項７】
前記供給期間中は、廃水が、前記クラリファイヤ（１ａ、１ｂ）の底領域に導かれ、スラッジブランケットに導かれる請求項１〜６のいずれか一項に記載の方法。
【請求項８】
前記供給期間中は、供給流は、略一定の水位を維持しながら残りの上清排出流を押し出す請求項１〜７のいずれか一項に記載の方法。
【請求項９】
前記供給期間及び前記リセット期間は等しい長さである請求項１〜８のいずれか一項に記載の方法。
【請求項１０】
別の処理からの活性スラッジが、有機物質の除去を改善するために前記クラリファイヤ（１ａ、１ｂ）に添加される請求項１〜９のいずれか一項に記載の方法。
【請求項１１】
前記クラリファイヤ（１ａ、１ｂ）に進入する前の供給に凝集剤が添加され、任意で、有機物質の除去を改善するために、混合段階中に、前記クラリファイヤ（１ａ、１ｂ）に高分子が添加される請求項１〜１０のいずれか一項に記載の方法。
【請求項１２】
エアレーション期間は、沈降したスラッジを掻き混ぜ、浮遊スラッジを取り込み、従属栄養生物による細胞外高分子物質の生成、及びコロイド状及び可溶性の有機物の後続の吸着を可能にする請求項１〜１１のいずれか一項に記載の方法。
【請求項１３】
生物学的リン摂取が、前記クラリファイヤにおいて、下流の生物学的処理ユニットからのバイオマスを添加することによって、又は前記割り当てられたシックナ（２ａ、２ｂ）からのバイオマスを再循環することによって強化される請求項１〜１２のいずれか一項に記載の方法。
【請求項１４】
堆積した生物からの貯蔵ポリヒドロキシアルカノエート（ＰＨＡ）が、前記シックナ（２ａ、２ｂ）のアンダーフローから抽出される請求項１〜１３のいずれか一項に記載の方法。
【請求項１５】
前記クラリファイヤ（１ａ、１ｂ）の流出の少なくとも一部が、トリックリングフィルタ（１２）にて処理され、前記クラリファイヤ（１ａ、１ｂ）に戻される請求項１〜１４のいずれか一項に記載の方法。
【請求項１６】
前記シックナ（２ａ、２ｂ）からの有機物質によって供給され、脱水ユニット（５）を介して前記トリックリングフィルタ（１２）へ排出するダイジェスタ（４）が設けられる請求項１５に記載の方法。
【請求項１７】
前記クラリファイヤへの流入流の一部は、並行な一次セトラに対して、又は下流の生物学的処理に対して直接的に、バイパスされることが出来る請求項１〜１６のいずれか一項に記載の方法。
【請求項１８】
交替方式で稼働される少なくとも二個のクラリファイヤ（１ａ、１ｂ）であって、夫々が、前記クラリファイヤ（１ａ、１ｂ）の底部付近の流入管と、前記クラリファイヤ（１ａ、１ｂ）の底部付近のスラッジ抜き取り部と、加圧空気を用いる混合システムと、前記クラリファイヤ（１ａ、１ｂ）の表面に近接する流出管とを備えるクラリファイア（１ａ、１ｂ）を含み、少なくとも１つのシックナ（２ａ、２ｂ）をさらに含む廃水の清澄化装置。
【請求項１９】
前記クラリファイヤ（１ａ、１ｂ）は、前記クラリファイヤ（１ａ、１ｂ）の底部付近に流入管を備える請求項１８に記載の装置。
【請求項２０】
各クラリファイヤ（１ａ、１ｂ）は、前記クラリファイヤ（１ａ、１ｂ）からの廃棄固体が、前記シックナ（２ａ、２ｂ）へ送られ、前記シックナ（２ａ、２ｂ）からのオーバーフローが、前記クラリファイヤ（１ａ、１ｂ）に接続されるように前記シックナ（２ａ、２ｂ）に流体接続される請求項１８又は１９のいずれか一項に記載の装置。
【請求項２１】
前記シックナ（２ａ、２ｂ）の底部からのスラッジの抜き取りを制御するための流出弁又は流出ポンプが設けられる請求項１８〜２０のいずれか一項に記載の装置。
【請求項２２】
前記クラリファイヤ（１ａ、１ｂ）からの排出管が、沈降濃縮性能を改善するために穏やかな旋回流を誘発するために前記シックナ（２ａ、２ｂ）への廃棄物流の接線方向の導入を可能にするように配置される請求項１８〜２１のいずれか一項に記載の装置。
【請求項２３】
スラッジ抜き取りユニットが、前記クラリファイヤ（１ａ、１ｂ）の底部付近に設けられる請求項１８〜２２のいずれか一項に記載の装置。
【請求項２４】
空気混合システムと同一の加圧空気源を使用するエアリフトポンプが設けられる請求項１８〜２３のいずれか一項に記載の装置。
【請求項２５】
ディフューザが、前記クラリファイヤ（１ａ、１ｂ）の内容物をエアレーションするため及び混合するために設けられる請求項１８〜２４のいずれか一項に記載の装置。
【請求項２６】
少なくとも二個のブロワの構成が用いられ、一方のブロワは、余剰スラッジを上昇するために空気を提供し、次に、両方のブロワが、前記エアレーション及び空気混合システムへ空気を提供し、切替弁が、同一組のブロワの加圧空気を他方のクラリファイヤに導く請求項２５に記載の装置。
【請求項２７】
流入管（４）が、前記クラリファイヤ（２ａ、２ｂ）の側壁に沿ってその底部に配置される請求項１８〜２６のいずれか一項に記載の装置。
【手続補正２】
【補正対象書類名】明細書
【補正対象項目名】００１４
【補正方法】変更
【補正の内容】
【００１４】
【図１】図１は、交替式のクラリファイヤの概略的な平面図を示す。矢印は、クラリファイヤへの流れとクラリファイヤ内の流れの方向性を持つ移動を示す。この平面図は、平面図の底部にセトラ及び接線流シックナを示す。
【図２】図２ａ乃至図２ｅは、ａ、ｂ、ｃ、ｄ及びｅから順に時間を合わせられた、例示的な一実施形態に係る沈降濃縮装置の水位及び動作順序の側面の断面図を示す。
【図３】図３は、二個の交替式のクラリファイヤの三十分間毎のサイクルの例示的なアプローチを提供する。必要に応じて、複数のクラリファイヤ（三個以上）が順序付けられた配置で使用されることが出来る。
【図４】図４は、比較例としての一次槽と比較した例示的な試験的セトラの平均流出合計浮遊物質性能を示すグラフである。
【図５】図５は、比較例としての一次槽と比較した例示的な試験的セトラの平均化学的酸素要求性能を示すグラフである。
【図６】図６は、比較例としての一次槽と比較した例示的な試験的セトラへの流入及び流出化学的酸素要求の分画を示すグラフである。
【図７】図７は、回転毎分での接線流シックナの例示的な速度プロファイルを示すグラフである。
【図８】図８は、接線流シックナの例示的な沈降濃縮性能を示すグラフである。
【図９】図９は、全体的な清澄化処理への本発明の方法の考え得る一体化を示すフロースキームである。
【図１０】図１０は、本発明の方法の別の一体化を示す別のフロースキームである。
【図１１】図１１は、交替式のクラリファイヤの別の実施形態の概略的な平面図である。